(57)【特許請求の範囲】
【請求項１】
下部に吸上げパイプを装着したポンプと、ポンプ上部に装着されたノズルヘッドと、取付キャップとからなり、
ノズルヘッド内に気液混合室を形成し、メッシュリングを装着して内容液を泡状にし、泡状内容液を大径のノズル口より吐出させる吐出部材と、容器本体とからなる内容液吐出容器であって、
ノズルヘッドは、吸上げパイプの外径より大径のノズル口を有するノズルを具え、ノズルの吐出路内面に、吸上げパイプの外径より内側に突出する複数のリブを設け、
組み立てた吐出部材の運搬時に、ノズル口より、吐出路内に他の吐出部材の吸上げパイプが浸入することを阻止するようにしたことを特徴とする泡状の内容物吐出容器。
【請求項２】
下部に吸上げパイプを装着したポンプと、ポンプ上部に装着されたノズルヘッドと、取付キャップとからなる吐出部材と、容器本体とからなる内容液吐出容器であって、
ノズルヘッドは、吸上げパイプの外径より大径のノズル口を有するノズルを具え、ノズルの吐出路内面に、吸上げパイプの外径より内側に突出する複数のリブを設け、
組み立てた吐出部材の運搬時に、ノズル口より、吐出路内に他の吐出部材の吸上げパイプが浸入することを阻止するようにしたことを特徴とする内容物吐出容器。
【発明の詳細な説明】
【技術分野】
【０００１】
本発明は、吐出部材、とくに泡状の内容液吐出容器におけるポンプの上部に装着されるノズルヘッドに関するものである。
【背景技術】
【０００２】
容器本体と、容器本体の口筒部に装着する取付キャップと、下部に柔軟性を有する素材で形成した吸上げパイプを装着したシリンダーと、ピストンからなるポンプと、ポンプの上部に装着するノズルヘッドとからなり、ノズルヘッドを押下げることで、容器本体内の内容液を吸上げパイプで吸上げ、混合室内で内容液と空気とを混合して、該混合液を発泡部材を通して発泡させ、ノズルヘッドのノズル口より泡状の内容液を吐出させる泡状の内容液吐出容器は従来より知られている（例えば、特許文献１参照）。
【特許文献１】特開平９−３８５４３号公報
【発明の開示】
【発明が解決しようとする課題】
【０００３】
内容液吐出容器として、容器本体の高さが低い容器の場合、ポンプの構造上、容器の高さに合わせてポンプの高さを低く形成するには限界があるので、ポンプに装着する吸上げパイプを短く形成して容器の高さに対応させている。
【０００４】
また、製品として容器を組み立てる前に、取付キャップと、下部に吸上げパイプを装着したポンプと、ノズルヘッドとを組み立て、吐出部材を形成させ、該吐出部材を多数箱などに詰め込んで運搬している。
【０００５】
しかしながら、引用文献１記載の吐出容器では、ノズル口が内容液を泡状で吐出するために大径に形成されているため、吐出部材として箱などに多数詰め込んで運搬するときに、一つの吐出部材のノズル口に他の吐出部材の吸上げパイプの先端が挿入されることがあった。
このため、吸上げパイプ自体は柔軟性を有する素材で形成しているため問題は少ないが、吸上げパイプがパイプ保持部から抜け落ちるという問題があった。
【０００６】
とくに、吸上げパイプが短い場合、吸上げパイプとともに、ポンプのシリンダーのパイプ保持部までノズル口に挿入され、運搬時の衝撃により、パイプ保持部が破損して吸上げパイプが抜け落ちたり、場合によってはシリンダー自体を破損したり、ノズル口自体が破損したりして製品として使えなくなるということがあった。
【０００７】
本発明は、上記の事情を考慮して、取付キャップと下部に吸上げパイプを装着したポンプとノズルヘッドとを組み立て、吐出部材とし、箱などに詰め込んで運搬するときに、大径のノズル口に、他の吐出部材のポンプのパイプ保持部が侵入しないようにしたノズルヘッドを備えた泡状の内容液吐出容器の吐出部材を提供することを目的とする。
【課題を解決するための手段】
【０００８】
本発明は、上記の課題を解決するため、泡状の内容物吐出容器として、下部に吸上げパイプを装着したポンプと、ポンプ上部に装着されたノズルヘッドと、取付キャップとからなり、ノズルヘッド内に気液混合室を形成し、メッシュリングを装着して内容液を泡状にし、泡状内容液を大径のノズル口より吐出させる吐出部材と、容器本体とからなる内容液吐出容器であって、ノズルヘッドは、吸上げパイプの外径より大径のノズル口を有するノズルを具え、ノズルの吐出路内面に、吸上げパイプの外径より内側に突出する複数のリブを設け、組み立てた吐出部材の運搬時に、ノズル口より、吐出路内に他の吐出部材の吸上げパイプが浸入することを阻止するようにしたことを特徴とする構成を採用する。
【０００９】
一般的なポンプを用いた液吐出容器として、下部に吸上げパイプを装着したポンプと、ポンプ上部に装着されたノズルヘッドと、取付キャップとからなる吐出部材と、容器本体とからなる内容液吐出容器であって、ノズルヘッドは、吸上げパイプの外径より大径のノズル口を有するノズルを具え、ノズルの吐出路内面に、吸上げパイプの外径より内側に突出する複数のリブを設け、組み立てた吐出部材の運搬時に、ノズル口より、吐出路内に他の吐出部材の吸上げパイプが浸入することを阻止するようにしたことを特徴とする構成を採用する。
【発明の効果】
【００１０】
ノズルヘッド内からノズル口に連通する吐出路内に複数のリブを設けたことにより、取付キャップと下部に吸上げパイプを装着したポンプとノズルヘッドとを組み立て、吐出部材とし、箱などに多数詰め込んで運搬するときに、大径のノズル口より、他の吐出部材のパイプ保持筒の下端まで侵入することを阻止することができ、吸上げパイプの抜け落ち、バイブ保持筒の破損を防止できるようになった。
【発明を実施するための最良の形態】
【００１１】
次に、本発明の実施形態について、図面を参照して説明する。
図１において、Ａは内容液を収納する容器本体、Ｂは取付キャップ、Ｃはポンプ、Ｄはノズルヘッド、ＥはノズルヘッドＤと取付キャップＢとの間に着脱自在に嵌挿されるスペーサーである。
取付キャップＢとポンプＣ、ノズルヘッドＤとスペーサーＥを組み立てることによって吐出部材Ｆが形成される
【００１２】
容器本体Ａは、口筒部１と胴部２、底部とを具え、口筒部１外周には取付キャップＢを取着するねじ３が設けられている。
【００１３】
取付キャップＢは、上壁５と、上壁５の内縁に立設された案内筒６と、上壁５の外縁に垂設された側周壁７とを具えている。
案内筒６の内周は、ノズルヘッドＤの上下動を案内し、外周上端には、係合突条８が設けられている。
側周壁７の内周上端には、ポンプＣと係合する係合部９が設けられ、内周下方には、容器本体Ａのねじ３に嵌合するねじ１０が設けられている。
【００１４】
ポンプＣは、大径シリンダー１５と小径シリンダー１６、エアーピストン１７と内容液を吸上げるためのピストン１８、ピストンガイド１９とステム２０とを具えている。
小径シリンダー１６の下段には、パイプ保持筒２１が設けられ、該パイプ保持筒２１には、吸上げパイプ２２が嵌挿されている。
【００１５】
吸上げパイプ２２の長さは、容器本体Ａの高さに対応して短いもので、柔軟性のある合成樹脂で成形されている。
【００１６】
ピストンガイド１９とステム２０によって、気液混合室２３が形成されており、気液混合室２３に続くステム２０内には、メッシュリング２４が装着されている。
【００１７】
ポンプ内の構造は、公知のものであって、特許文献１記載のものと同様に、気液混合室に、内容液とともに空気を送給し、混合された気液を発泡部材で泡状化し、ノズルから吐出できるものであればよく、とくに限定されない。
【００１８】
ノズルヘッドＤは、図１、２に示すように、片側にノズル２５を設けたヘッド部２６と、ヘッド部２６の下方に垂設された、内筒部２７と外筒部２８とを具えている。
内筒部２７内部は、流通路２９となっており、該流通路２９に続いて、ノズル２５先端まで吐出路３０が穿設されており、先端はノズル口３１となっている。
【００１９】
流通路２９、およびノズル２５と吐出路３０の大きさは、気液混合室２３内からメッシュリング２４を通じて内容液をノズル口３１より泡状で吐出できるような径で形成されている。
吐出路３０内周には、複数のリブ３２が所定の長さで突設されている。
【００２０】
実施例では、４本のリブ３２を、ノズル内周面に十字形に配設しているが、複数のリブを上下面に並列するように配設してもよく、リブの数、配設位置はとくに限定されない。
【００２１】
外筒部２８の下端には、内容液を使用しないときに、取付キャップＢの案内筒６の係合突条８に係合する係合部材３３が装着されている。
【００２２】
次に、本実施形態の容器の作用効果について説明する。
泡状の内容液を吐出するときには、ノズルヘッドＤを上方より押下げることで、内容液をポンプＣ内に吸上げパイプ２２により吸上げ、気液混合室２３内で空気と混合してメッシュリング２４で泡状とし、流通路２９と吐出路３０を通り、ノズル口３１から泡状の内容液を吐出することができる。
【００２３】
泡状内容液を吐出しないときには、ノズルヘッドＤと取付キャップＢとの間にスペーサーＥを嵌挿させることで、ノズルヘッドＤの押下げを阻止し、不用意に内容液が吐出されることを防止することができる。
【００２４】
取付キャップＢの案内筒６の係合突条８と、ノズルヘッドＤの外筒部２８に装着した係合部材３３が、内容液を使用しないときに係合することにより、粉塵や湿気などが容器内に侵入することを防止できる。
【００２５】
取付キャップＢとポンプＣとノズルヘッドＤとスペーサーＥとを組み立て、吐出部材Ｆを形成し、箱などに多数詰め込んで運搬する。
その際、ノズルヘッドＤのノズル３１口より、他の吐出部材ＦのポンプＣ下部の吸上げパイプの先端が侵入したとしても、吸上げパイプ２２の先端が、ノズルヘッドＤの吐出路３０内に設けられたリブ３２に当接し、それ以上吐出路３０内に侵入することを阻止できる。
【００２６】
このことで、ノズル２５の吐出路３０内に、他の吐出部材ＦのポンプＣのパイプ保持筒２１が侵入することを阻止でき、パイプ保持筒２１の損害や、吸上げパイプ２２の抜け落ちを防止することができる。
【００２７】
上記実施例では、ノズルヘッドＤ内の吐出路３０内に、所定の長さで複数のリブ３２を突設したが、リブ３２をノズル口３１まで設け、他の吐出部材のポンプに装着した吸上げパイプの先端自体が流通路内に侵入しないようにしてもよい。
【００２８】
前記実施形態では、内容液を泡状に吐出するポンプを用いた泡状の内容物吐出容器について説明したが、ポンプ取付キャップとポンプ、吐出ノズルを具えた従来公知の吐出容器においても、吐出部材を組み立て、箱詰め運搬する場合に、他の吐出部材のポンプが、吐出ノズル内に浸入することは起こり得ることであり、この場合に、吐出ノズルの吐出路内周にリブを設けておけば、他の吐出部材の吸上げパイプの浸入を防ぐことができ、運搬中のパイプの抜け落ち、パイプ保持筒の破損を防ぐという作用効果を得ることができる。
したがって、吐出容器については、泡状の内容物吐出容器に限定されない。
【産業上の利用可能性】
【００２９】
本発明は、ノズルヘッドのノズル口に通ずる流通路内にリブを設け、他の吐出部材のポンプのシリンダーの下部が流通路内に侵入することを防止し、運搬時の衝撃により、シリンダーの下部が破損することがないので吐出部材の不良品の軽減につながった。
本発明のノズルヘッドは、化粧品、薬品、その他の内容液を泡状に吐出する内容液吐出容器のノズルヘッドとして広く利用することができ、さらには、吐出口を大きくとった吐出ノズルを有するポンプにも利用できる。
【図面の簡単な説明】
【００３０】
【図１】本発明の実施形態容器の一部断面立面図である。
【図２】ノズルヘッドの説明図で、（ａ）は断面立面図、（ｂ）はノズルの正面図である。
【符号の説明】
【００３１】
Ａ        容器本体
Ｂ        取付キャップ
Ｃ        ポンプ
Ｄ        ノズルヘッド
Ｅ        スペーサー
Ｆ        吐出部材
１        口筒部
２        胴部
３、１０  ねじ
５        上壁
６        案内筒
７        側周壁
８        係合突条
９        係合部
１５      大径シリンダー
１６      小径シリンダー
１７      エアピストン
１８      ピストン
１９      ピストンガイド
２０      ステム
２１      パイプ保持筒
２２      吸上げパイプ
２３      気液混合室
２４      メッシュリング
２５      ノズル
２６      ヘッド部
２７      内筒部
２８      外筒部
２９      流通路
３０      吐出路
３１      ノズル口
３２      リブ
３３      係合部材
【図１】
0004799948.tif 000002
【図２】
0004799948.tif 000003